(57)【特許請求の範囲】
【請求項１】
着用者からの排泄物を受ける吸収性物品であって、
バックシート部材と、
前記バックシート部材上に重ねられて前記バックシート部材に外縁部が接合される吸収性シート部材と、
前記吸収性シート部材の左右両側部上において長手方向に伸び、弾性部材が長手方向に沿ってそれぞれ接合される一対の起立ギャザー部と、
を備え、
前記吸収性シート部材が、前記着用者の股間部に対向する位置に、開口が形成される予定の開口形成領域を有し、
前記吸収性シート部材が、破断可能または破断されている線である開口形成線を有し、前記開口形成線にて前記吸収性シート部材が破断されている状態で、前記開口形成領域内の部位が、その周囲の部位と部分的に連続し、
前記開口形成領域内の前記部位を前記吸収性シート部材の下側に折り返すことにより前記開口が形成され、
前記開口が形成されることにより、前記吸収性シート部材と前記バックシート部材との間の空間が、前記開口から前記長手方向に広がるとともに前記開口形成領域内の前記部位が内部に折り込まれるポケットとなることを特徴とする吸収性物品。
【請求項２】
請求項１に記載の吸収性物品であって、
前記開口形成線が、断続的に切断が行われた線であることを特徴とする吸収性物品。
【請求項３】
請求項１または２に記載の吸収性物品であって、
前記ポケットが、前記開口から前記長手方向における前後両側に広がり、
前記開口形成線が、前記長手方向を向く略Ｈ字状であることを特徴とする吸収性物品。
【請求項４】
請求項１または２に記載の吸収性物品であって、
前記ポケットが、前記開口から前記着用者の前側に対応する前方向に少なくとも広がり、
前記開口形成線が、前記前方向に上側を向けた略Ｕ字状であることを特徴とする吸収性物品。
【請求項５】
請求項１または２に記載の吸収性物品であって、
前記ポケットが、前記開口から前記着用者の後側に対応する後方向に少なくとも広がり、
前記開口形成線が、前記後方向に上側を向けた略Ｕ字状であることを特徴とする吸収性物品。
【請求項６】
請求項１または２に記載の吸収性物品であって、
前記開口形成線が、前記長手方向に対して横を向く略Ｈ字状であることを特徴とする吸収性物品。
【請求項７】
請求項４ないし６のいずれかに記載の吸収性物品であって、
前記ポケットが、前記開口から前記長手方向における前後両側に広がることを特徴とする吸収性物品。
【請求項８】
請求項１ないし７のいずれかに記載の吸収性物品であって、
着用者が着用する外装物品の内側に取り付けられる補助吸収具であることを特徴とする吸収性物品。
【請求項９】
着用者からの排泄物を受ける吸収性物品であって、
バックシート部材と、
前記バックシート部材上に重ねられて前記バックシート部材に外縁部が接合される吸収性シート部材と、
前記吸収性シート部材の左右両側部上において長手方向に伸び、弾性部材が長手方向に沿ってそれぞれ接合される一対の起立ギャザー部と、
を備え、
前記吸収性シート部材が、前記着用者の股間部に対向する位置に、開口が形成される予定の開口形成領域を有し、
前記吸収性シート部材が、破断されている線である開口形成線を有し、前記開口形成領域内の部位が、その周囲の部位と部分的に連続し、
前記開口形成領域内の前記部位を前記吸収性シート部材の下側に折り返すことにより前記開口が予め形成されており、前記吸収性シート部材と前記バックシート部材との間の空間が、前記開口から前記長手方向に広がるとともに前記開口形成領域内の前記部位が内部に折り込まれるポケットであることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。例えば、特許文献１の吸収性物品では、着用者の腹側および背側に前部吸収コアおよび後部吸収コアが配置され、前部吸収コアおよび後部吸収コアとバックシートとの間に前部ポケットおよび後部ポケットが形成される。そして、これらのポケットに軟便等の排泄物が収容されることにより、排泄物が着用者の肌に広範囲に亘って付着することが防止される。
【先行技術文献】
【特許文献】
【０００３】
【特許文献１】特開２００９−１２５２００号公報
【発明の概要】
【発明が解決しようとする課題】
【０００４】
ところで、特許文献１の吸収性物品では、前部吸収コアおよび後部吸収コアの上面および下面がトップシートに被覆されており、当該トップシートには、前部吸収コアと後部吸収コアとの間にて着用者の股間部に対向する開口が形成される。当該開口は、吸収性物品の製造時に、透液性の不織布により形成されたトップシートのおよそ中央部を切除することにより形成され、切除された不織布は、他の目的に利用されることなく廃棄物として廃棄される。一般に、吸収性物品の製造現場では多数の吸収性物品を製造するため、上述の切除された不織布を含む大量の廃棄物が排出される。
【０００５】
本発明は、上記課題に鑑みなされたものであり、吸収性物品を製造する際の廃棄物の量を削減することを主な目的としている。
【課題を解決するための手段】
【０００６】
請求項１に記載の発明は、着用者からの排泄物を受ける吸収性物品であって、バックシート部材と、前記バックシート部材上に重ねられて前記バックシート部材に外縁部が接合される吸収性シート部材と、前記吸収性シート部材の左右両側部上において長手方向に伸び、弾性部材が長手方向に沿ってそれぞれ接合される一対の起立ギャザー部とを備え、前記吸収性シート部材が、前記着用者の股間部に対向する位置に、開口が形成される予定の開口形成領域を有し、前記吸収性シート部材が、破断可能または破断されている線である開口形成線を有し、前記開口形成線にて前記吸収性シート部材が破断されている状態で、前記開口形成領域内の部位が、その周囲の部位と部分的に連続し、前記開口形成領域内の前記部位を前記吸収性シート部材の下側に折り返すことにより前記開口が形成され、前記開口が形成されることにより、前記吸収性シート部材と前記バックシート部材との間の空間が、前記開口から前記長手方向に広がるとともに前記開口形成領域内の前記部位が内部に折り込まれるポケットとなる。
【０００７】
請求項２に記載の発明は、請求項１に記載の吸収性物品であって、前記開口形成線が、断続的に切断が行われた線である。
【０００８】
請求項３に記載の発明は、請求項１または２に記載の吸収性物品であって、前記ポケットが、前記開口から前記長手方向における前後両側に広がり、前記開口形成線が、前記長手方向を向く略Ｈ字状である。
【０００９】
請求項４に記載の発明は、請求項１または２に記載の吸収性物品であって、前記ポケットが、前記開口から前記着用者の前側に対応する前方向に少なくとも広がり、前記開口形成線が、前記前方向に上側を向けた略Ｕ字状である。
【００１０】
請求項５に記載の発明は、請求項１または２に記載の吸収性物品であって、前記ポケットが、前記開口から前記着用者の後側に対応する後方向に少なくとも広がり、前記開口形成線が、前記後方向に上側を向けた略Ｕ字状である。
【００１１】
請求項６に記載の発明は、請求項１または２に記載の吸収性物品であって、前記開口形成線が、前記長手方向に対して横を向く略Ｈ字状である。
【００１２】
請求項７に記載の発明は、請求項４ないし６のいずれかに記載の吸収性物品であって、前記ポケットが、前記開口から前記長手方向における前後両側に広がる。
【００１３】
請求項８に記載の発明は、請求項１ないし７のいずれかに記載の吸収性物品であって、着用者が着用する外装物品の内側に取り付けられる補助吸収具である。
【００１５】
請求項９に記載の発明は、着用者からの排泄物を受ける吸収性物品であって、バックシート部材と、前記バックシート部材上に重ねられて前記バックシート部材に外縁部が接合される吸収性シート部材と、前記吸収性シート部材の左右両側部上において長手方向に伸び、弾性部材が長手方向に沿ってそれぞれ接合される一対の起立ギャザー部とを備え、前記吸収性シート部材が、前記着用者の股間部に対向する位置に、開口が形成される予定の開口形成領域を有し、前記吸収性シート部材が、破断されている線である開口形成線を有し、前記開口形成領域内の部位が、その周囲の部位と部分的に連続し、前記開口形成領域内の前記部位を前記吸収性シート部材の下側に折り返すことにより前記開口が予め形成されており、前記吸収性シート部材と前記バックシート部材との間の空間が、前記開口から前記長手方向に広がるとともに前記開口形成領域内の前記部位が内部に折り込まれるポケットである。
【発明の効果】
【００１６】
本発明では、吸収性物品を製造する際の廃棄物の量を削減することができる。
【図面の簡単な説明】
【００１７】
【図１】第１の実施の形態に係る吸収性物品の平面図である。
【図２】吸収性物品の断面図である。
【図３】吸収性物品の断面図である。
【図４】吸収性物品の断面図である。
【図５】吸収性物品の平面図である。
【図６】吸収性物品の断面図である。
【図７】吸収性物品の断面図である。
【図８】第２の実施の形態に係る吸収性物品の平面図である。
【図９】吸収性物品の平面図である。
【図１０】吸収性物品の断面図である。
【図１１】第３の実施の形態に係る吸収性物品の平面図である。
【図１２】吸収性物品の関連技術に係る使用方法を説明するための平面図である。
【図１３】吸収性物品の関連技術に係る使用方法を説明するための断面図である。
【図１４】第４の実施の形態に係る吸収性物品の平面図である。
【図１５】吸収性物品の平面図である。
【図１６】吸収性物品の断面図である。
【発明を実施するための形態】
【００１８】
図１は、本発明の第１の実施の形態に係る吸収性物品１を長手方向（すなわち、図１中の上下方向）に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００１９】
図１に示すように、吸収性物品１は、平面視において略矩形状である略シート状の本体部２、および、本体部２の長手方向に垂直な左右方向（本体部２の幅方向であり、図１中の左右方向に一致する。）の両側において長手方向のおよそ全長に亘って設けられた一対のサイドシート３を備える。
【００２０】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２１】
図２および図３はそれぞれ、吸収性物品１を、図１中に示すＡ−Ａの位置、および、Ｂ−Ｂの位置にて、吸収性物品１の長手方向（すなわち、図１中の上下方向）に垂直な面で切断した断面図であり、図４は、吸収性物品１をＣ−Ｃの位置にて吸収性物品１の左右方向に垂直な面で切断した断面図である。なお、吸収性物品１では、後方部２０３の構造は前方部２０１の構造とほぼ同様であり、後方部２０３の長手方向に垂直な断面図は図２と同様である。
【００２２】
図１ないし図３に示すように、一対のサイドシート３はそれぞれ、本体部２の左右両側部上に接合される帯状の固定部３３、固定部３３に連続するとともに少なくとも一部が起立するギャザー部３４、および、ギャザー部３４に長手方向に沿って接合される複数の起立ギャザー部弾性部材３２ａ〜３２ｃを備える。サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に起立ギャザー部弾性部材３２ａ〜３２ｃを挟むことにより形成される。起立ギャザー部弾性部材３２ａ〜３２ｃとしては、例えば、ポリウレタン糸、帯状のポリウレタンフィルム、糸状または帯状の天然ゴム等が用いられ、本実施の形態ではポリウレタン糸が利用される。
【００２３】
ギャザー部３４は、長手方向の両端部にて本体部２上に接合される。吸収性物品１では、起立ギャザー部弾性部材３２ａ〜３２ｃが収縮することにより、ギャザー部３４の長手方向の両端部を除く部位３４１（以下、「起立ギャザー部３４１」という。）が、図２および図３に示すように、本体部２の側方において着用者側に向かって起立し、着用時に着用者の足の付け根近傍に当接する立体ギャザーが形成される。また、起立ギャザー部弾性部材３２ａ〜３２ｃが長手方向に沿って接合された起立ギャザー部３４１が、長手方向に伸びる折り返し線３４２にて左右方向の外側へと広がるように折り返されることにより、立体ギャザーの自由端３４３（すなわち、着用者側の端部）側の部位が着用者の肌の広い範囲に亘って密着する。
【００２４】
図３に示すように、起立ギャザー部３４１には、自由端３４３から離間した位置に後述する側部吸収コア２２２が接合されており、起立ギャザー部弾性部材３２ｃは、起立ギャザー部３４１と側部吸収コア２２２との接合領域３４４に重なる。起立ギャザー部３４１の折り返し線３４２は、自由端３４３と接合領域３４４との間に位置し、起立ギャザー部弾性部材３２ａ，３２ｂは、起立ギャザー部３４１の自由端３４３と折り返し線３４２との間に配置される。起立ギャザー部弾性部材３２ａ，３２ｂは、自由端３４３と折り返し線３４２との間に配置されるのであれば、自由端３４３において自由端３４３に沿って配置されてもよく、折り返し線３４２上において折り返し線３４２に沿って配置されてもよい。本実施の形態では、起立ギャザー部弾性部材３２ａ，３２ｂはそれぞれ、起立ギャザー部３４１の自由端３４３および折り返し線３４２上に配置される。起立ギャザー部３４１が折り返し線３４２にて折り返されない場合には、起立ギャザー部弾性部材３２ａ，３２ｂは、起立ギャザー部３４１の自由端３４３と接合領域３４４との間に配置される（上記と同様に、自由端３４３に配置される場合も含む。）。
【００２５】
図２ないし図４に示すように、本体部２は、バックシート部材２３、および、バックシート部材２３上（すなわち、バックシート部材２３の着用者側）に重ねられて外縁部がバックシート部材２３に接合される吸収性シート部材２０を備える。図１、図３および図４に示すように、吸収性シート部材２０は、長手方向の中央よりもやや後側（すなわち、図１中の下側）において着用者の股間部に対向する位置に、開口が形成される予定の開口形成領域２５０を有する。また、吸収性シート部材２０は、図１に示すように、開口形成領域２５０を囲む破断可能な線である開口形成線２５１をさらに有する。開口形成線２５１は、後述するコア被覆シート２１に対して断続的に切断が行われた線であり、複数の略直線状の短い切れ目の集合（いわゆる、ミシン目）である。図１では、図の理解を容易にするために、開口形成領域２５０に平行斜線を付すとともに開口形成線２５１を極太の長破線にて描く（図８、図１１および図１４においても同様）。開口形成領域２５０の左右両側では、一対の起立ギャザー部３４１が吸収性シート部材２０の左右両側部上において長手方向に伸びる。
【００２６】
吸収性シート部材２０は、吸収性物品１の着用時に着用者の前側（腹側）に配置される前部吸収コア２２１、開口形成領域２５０の左右方向の両側に配置される一対の側部吸収コア２２２、および、着用者の後側に配置される後部吸収コア２２３を備える。前部吸収コア２２１の長手方向の長さは、後部吸収コア２２３の長手方向の長さよりも大きい。前部吸収コア２２１、一対の側部吸収コア２２２および後部吸収コア２２３は、吸収性シート部材２０の長手方向（バックシート部材２３の長手方向でもある。）に連続して一体的に形成されており、開口形成領域２５０に対応する位置にこれらの吸収コアに囲まれる開口を有する。以下の説明では、前部吸収コア２２１、一対の側部吸収コア２２２および後部吸収コア２２３をまとめて、「吸収コア２２」ともいう。図１中では、図の理解を容易にするために、吸収コア２２の輪郭を太い破線にて描く（図５においても同様）。
【００２７】
吸収性シート部材２０は、また、図２ないし図４に示すように、吸収コア２２のそれぞれの上面および下面（すなわち、前部吸収コア２２１、側部吸収コア２２２および後部吸収コア２２３のそれぞれの着用者側およびバックシート部材２３側）を被覆する透液性のコア被覆シート２１を備える。コア被覆シート２１は、吸収コア２２の上面を覆う第１被覆シート２１１、および、吸収コア２２の下面を覆う第２被覆シート２１２を備える。開口形成領域２５０では、第１被覆シート２１１と第２被覆シート２１２とが積層されて接合される。
【００２８】
吸収コア２２は、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成され、コア被覆シート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維およびＳＡＰを含む。
【００２９】
コア被覆シート２１は、透液性のシート材料であり、着用者からの排泄物の水分を速やかに捕捉して吸収コア２２へと移動させる。コア被覆シート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、コア被覆シート２１として、セルロースやレーヨン、コットン等の親水性繊維により形成された不織布（例えば、スパンレース不織布）が利用されてもよい。
【００３０】
図１に示すように、前部吸収コア２２１の開口形成領域２５０近傍のコアエッジ２２１１は、左右方向の中央にて長手方向に凹状となる（すなわち、後部吸収コア２２３から離れる方向に凹状となる）凹状部を有する。また、後部吸収コア２２３の開口形成領域２５０近傍のコアエッジ２２３１も、左右方向の中央にて長手方向に凹状となる（すなわち、前部吸収コア２２１から離れる方向に凹状となる）凹状部を有する。一対の側部吸収コア２２２の開口形成領域２５０近傍のコアエッジ２２２１は、長手方向に伸びる直線状である。
【００３１】
開口形成線２５１は、前部吸収コア２２１のコアエッジ２２１１、一対の側部吸収コア２２２のコアエッジ２２２１、および、後部吸収コア２２３コアエッジ２２３１に沿って（すなわち、吸収コア２２の開口のエッジに沿って）これらのコアエッジの内側に配置される２本の第１開口形成線２５５、および、開口形成領域２５０の長手方向の略中央にて左右方向に伸びるとともに２本の第１開口形成線２５５を接続する第２開口形成線２５６を備える。前部吸収コア２２１のコアエッジ２２１１の中央部近傍、および、後部吸収コア２２３のコアエッジ２２３１の中央部近傍には開口形成線２５１は設けられない。すなわち、開口形成線２５１は長手方向を向く略Ｈ字状である。
【００３２】
吸収性シート部材２０は、左右方向の中央領域において長手方向に沿って前部吸収コア２２１に接合される前部吸収コア弾性部材２４１、および、当該中央領域において長手方向に沿って後部吸収コア２２３に接合される後部吸収コア弾性部材２４３を備える。吸収性シート部材２０では、前部吸収コア弾性部材２４１が収縮することにより前部吸収コア２２１に長手方向の収縮力が作用し、後部吸収コア弾性部材２４３が収縮することにより後部吸収コア２２３に長手方向の収縮力が作用する。
【００３３】
前部吸収コア２２１には、上記中央領域においてコアエッジ２２１１から長手方向に沿って伸びるスリット２２１２（すなわち、前部吸収コア２２１においてパルプ繊維やＳＡＰが存在しない領域）が形成されており、スリット２２１２は前部吸収コア弾性部材２４１に重なる。したがって、前部吸収コア弾性部材２４１は、正確には、前部吸収コア２２１が設けられる領域において、前部吸収コア２２１の上面および下面を被覆する第１被覆シート２１１および第２被覆シート２１２に接合される（図２参照）。後部吸収コア２２３には、上記中央領域においてコアエッジ２２３１から長手方向に沿って伸びるスリット２２３２が形成されており、スリット２２３２は後部吸収コア弾性部材２４３に重なる。したがって、後部吸収コア弾性部材２４３は、正確には、後部吸収コア２２３が設けられる領域において、後部吸収コア２２３の上面および下面を被覆する第１被覆シート２１１および第２被覆シート２１２に接合される。
【００３４】
吸収性シート部材２０は、また、図１および図３に示すように、開口形成領域２５０の左右方向の両側に長手方向に沿って配置される二対の（すなわち、左右２本ずつの）側部吸収コア弾性部材２４２を備える。側部吸収コア弾性部材２４２としては、例えば、ポリウレタン糸、帯状のポリウレタンフィルム、糸状または帯状の天然ゴム等が用いられ、本実施の形態では、ポリウレタン糸が使用される。
【００３５】
二対の側部吸収コア弾性部材２４２は、平面視において一対の側部吸収コア２２２に重なっており、側部吸収コア２２２のバックシート部材２３に対向する面に配置される。本実施の形態では、各側部吸収コア弾性部材２４２は、側部吸収コア２２２とコア被覆シート２１の第２被覆シート２１２との間に配置され、側部吸収コア２２２および第２被覆シート２１２に伸張状態にて接合されて側部吸収コア２２２に収縮力を作用させる。側部吸収コア弾性部材２４２の長手方向の前側の部位は前部吸収コア２２１に重なっており、後側の部位は後部吸収コア２２３に重なっている。吸収性シート部材２０では、例えば、吸収コア２２の下面を覆う第２被覆シート２１２が、２枚の透液性の不織布を積層することにより形成されてもよい。この場合、側部吸収コア弾性部材２４２や上述の前部吸収コア弾性部材２４１および後部吸収コア弾性部材２４３は、当該２枚の不織布の間に接合されてもよい。これにより、これらの弾性部材の接合が容易とされる。
【００３６】
バックシート部材２３は、図２ないし図４に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上に積層された親水性シート２３２を備える。図２ないし図４では、図示の都合上、吸収シート２３３を太実線にて示している。
【００３７】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００３８】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００３９】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４０】
吸収性物品１が使用される際には、まず、吸収性シート部材２０のコア被覆シート２１が、図１に示す開口形成線２５１にて破断される。コア被覆シート２１の開口形成領域２５０内の部位である破断シート２５２のうち、第２開口形成線２５６よりも前側の部位である第１破断シート２５３は、左右方向の中央部においてコア被覆シート２１の前部吸収コア２２１を被覆する部位と連続し、第２開口形成線２５６よりも後側の部位である第２破断シート２５４は、左右方向の中央部においてコア被覆シート２１の後部吸収コア２２３を被覆する部位と連続する。換言すれば、コア被覆シート２１が破断されている状態において、破断シート２５２は、その周囲の部位と部分的に連続する。
【００４１】
図５は、開口２５が形成された状態の吸収性物品１の平面図であり、図６は、吸収性物品１を図５中のＤ−Ｄの位置にて左右方向に垂直な面で切断した断面図である。また、図７は、吸収性物品１を図５中のＥ−Ｅの位置にて左右方向に垂直な面で切断した断面図である。吸収性物品１では、図５および図６に示すように、第１破断シート２５３が吸収性シート部材２０の前部吸収コア２２１の下側（すなわち、前部吸収コア２２１とバックシート部材２３との間）に折り返され、第２破断シート２５４が後部吸収コア２２３の下側に折り返されることにより、吸収性シート部材２０の着用者の股間部に対向する位置に開口２５が形成される。バックシート部材２３の開口２５から露出する露出領域２３４は、着用者の股間部に直接対向する。
【００４２】
吸収性物品１では、上述のように、吸収性シート部材２０の外縁部がバックシート部材２３に接合され、吸収コア２２のバックシート部材２３と対向する面がバックシート部材２３と非接合とされる。このため、吸収性シート部材２０に開口２５が形成されることにより、図５および図６に示すように、前部吸収コア２２１とバックシート部材２３との間（すなわち、吸収性シート部材２０の前部吸収コア２２１に対応する部位とバックシート部材２３との間）の空間が、開口２５から着用者の前側に対応する前方向に広がる前部ポケット２６になる。また、図５および図７に示すように、一対の側部吸収コア２２２とバックシート部材２３との間の空間が、開口２５から左右方向に広がる一対の側部ポケット２８になる。さらに、図５および図６に示すように、前部ポケット２６と同様に、後部吸収コア２２３とバックシート部材２３との間の空間が、開口２５から着用者の後側に対応する後方向に広がる後部ポケット２７になる。一対の側部ポケット２８は、前部ポケット２６および後部ポケット２７と連続している。以下の説明では、前部ポケット２６、後部ポケット２７および一対の側部ポケット２８をまとめて、「ポケット２９」ともいう。吸収性物品１では、ポケット２９は、開口２５から長手方向における前後両側および左右方向における両側（すなわち、前後両方向および左右両方向）に広がる。
【００４３】
図５に示す吸収性物品１では、着用者から排泄された軟便等の排泄物が、開口２５を介してバックシート部材２３へと向かい、バックシート部材２３の露出領域２３４にて受けられる。露出領域２３４にて受けられた排泄物は、前部ポケット２６、側部ポケット２８および後部ポケット２７の内部空間へと移動して収容される。本実施の形態では、開口２５が吸収性シート部材２０の長手方向の中央よりも後側に設けられており、上述のように、前部吸収コア２２１が後部吸収コア２２３よりも長くなっている。このため、前部ポケット２６の長手方向の長さが後部ポケット２７の長手方向の長さよりも大きくなり、前部ポケット２６が、排泄物を主に収容する主ポケットとなる。
【００４４】
吸収性物品１では、上述のように、一対の側部吸収コア２２２が一対の起立ギャザー部３４１の内面（すなわち、バックシート部材２３と対向する面）にコア被覆シート２１（図３参照）を介して接合される。このため、一対の起立ギャザー部弾性部材３２ａ、および、もう一対の起立ギャザー部弾性部材３２ｂが収縮することにより、起立ギャザー部３４１が大きく起立するとともに側部吸収コア２２２がバックシート部材２３から大きく離間する。これにより、開口２５近傍における吸収性シート部材２０とバックシート部材２３との間の厚さ方向の距離を大きく維持することができる。その結果、吸収性物品１では、排泄物を前部ポケット２６、側部ポケット２８および後部ポケット２７に確実に収容して保持することができ、排泄物が着用者の肌に広範囲に亘って付着することが防止される。
【００４５】
このように、吸収性物品１は、着用者の肌の比較的狭い範囲のみを覆うにも拘わらず排泄物を確実に収容して保持することができるため、使い捨ておむつ等の外装物品の内側に取り付けられて容易に交換可能な補助吸収具に特に適している。
【００４６】
ところで、吸収性物品１の着用者は、仰臥位や側臥位または座位等の体位を取ることが多いため、着用者の前側には体圧がほとんど加わらない。吸収性物品１では、上述のように、着用者の前側に配置される前部吸収コア２２１とバックシート部材２３との間に形成された前部ポケット２６が、排泄物を主に収容する主ポケットとなる。したがって、吸収性物品１は、仰臥位や側臥位または座位等、様々な体位を取る着用者からの排泄物の収容に特に適しているといえる。
【００４７】
以上に説明したように、吸収性物品１の製造時には、開口形成領域２５０においてコア被覆シート２１は切除されず（すなわち、開口２５は形成されず）、吸収性物品１を使用する際に、コア被覆シート２１が開口形成線２５１にて破断され、破断シート２５２が吸収性シート部材２０の下側に折り返されることにより開口２５が形成される。このため、吸収性物品１を製造する際の廃棄物の量を削減することができる。また、開口形成線２５１がコア被覆シート２１に対して断続的に切断が行われた線であるため、吸収性物品１の製造の際に開口形成線２５１を容易に形成することができる。
【００４８】
吸収性物品１では、第１破断シート２５３を前部ポケット２６内に折り込む際に、第１破断シート２５３に皺が形成され、当該皺により、開口２５近傍において前部ポケット２６の内表面の表面積（具体的には、吸収性シート部材２０側の面の表面積）が増大し、前部ポケット２６における排泄物の保持力が向上する。また、前部ポケット２６に排泄物が収容された後、第１破断シート２５３が前部吸収コア２２１のコアエッジ２２１１近傍から下方へとバックシート部材２３に向かって垂れ下がり、排泄物が前部ポケット２６内から露出領域２３４へと戻ることが抑制される。すなわち、第１破断シート２５３は、排泄物の前部ポケット２６からの逆流を抑制する逆止弁のような働きをする。これにより、前部ポケット２６における排泄物の保持力がより向上する。
【００４９】
後部ポケット２７においても同様に、第２破断シート２５４を後部ポケット２７内に折り込む際に、第２破断シート２５４の皺により開口２５近傍において後部ポケット２７の内表面の表面積が増大し、後部ポケット２７における排泄物の保持力が向上する。また、後部吸収コア２２３のコアエッジ２２３１近傍からバックシート部材２３に向かって垂れ下がる第２破断シート２５４が逆止弁として働き、排泄物が後部ポケット２７内から露出領域２３４へと戻ることが抑制される。これにより、後部ポケット２７における排泄物の保持力がより向上する。このように、前部ポケット２６および後部ポケット２７における排泄物の保持力を向上させることにより、排泄物が着用者の肌に広範囲に亘って付着することがより一層防止される。
【００５０】
次に、本発明の第２の実施の形態に係る吸収性物品について説明する。図８は、第２の実施の形態に係る吸収性物品１ａの平面図である。吸収性物品１ａは、開口形成線の形状が異なる点を除き、図１に示す吸収性物品１と同様の構造を有する。以下の説明では、吸収性物品１の各構成に対応する吸収性物品１ａの構成に同符号を付す。
【００５１】
図８に示すように、吸収性物品１ａの吸収性シート部材２０は、図１に示す吸収性物品１と同様に、開口形成領域２５０を囲む破断可能な線である開口形成線２５１ａを有する。開口形成線２５１ａは、コア被覆シート２１に対して断続的に切断が行われた線であり、複数の略直線状の短い切れ目の集合（いわゆる、ミシン目）である。開口形成線２５１ａは、前部吸収コア２２１のコアエッジ２２１１、一対の側部吸収コア２２２のコアエッジ２２２１、および、後部吸収コア２２３のコアエッジ２２３１に沿って（すなわち、吸収コア２２の開口のエッジに沿って）これらのコアエッジの内側に配置されるが、前部吸収コア２２１のコアエッジ２２１１の中央部近傍には設けられない。すなわち、開口形成線２５１ａは、前方向に上側を向けた略Ｕ字状である。
【００５２】
図９は、開口２５が形成された状態の吸収性物品１ａの平面図であり、図１０は、吸収性物品１ａを図９中のＦ−Ｆの位置にて左右方向に垂直な面で切断した断面図である。吸収性物品１ａが使用される際には、コア被覆シート２１が開口形成線２５１ａにて破断され、図９および図１０に示すように、破断シート２５２が吸収性シート部材２０の前部吸収コア２２１の下側に折り返されることにより、吸収性シート部材２０の着用者の股間部に対向する位置に開口２５が形成される。
【００５３】
吸収性物品１ａでは、第１の実施の形態と同様に、製造時に開口２５が形成されないため、吸収性物品１ａを製造する際の廃棄物の量を削減することができ、また、コア被覆シート２１を断続的に切断することにより、開口形成線２５１ａを容易に形成することができる（第３および第４の実施の形態に係る吸収性物品においても同様）。
【００５４】
吸収性物品１ａでは、破断シート２５２を前部ポケット２６内に折り込むことにより、開口２５近傍において前部ポケット２６の内表面の表面積が増大し、前部ポケット２６における排泄物の保持力が向上する。また、破断シート２５２全体を前部ポケット２６に折り込むことにより、主ポケットである前部ポケット２６における排泄物の保持力をより向上することができる。さらに、破断シート２５２が前部ポケット２６内にて逆止弁として働き、排泄物が前部ポケット２６内から逆流することが抑制される。これにより、前部ポケット２６における排泄物の保持力がさらに向上する。その結果、排泄物が着用者の肌に広範囲に亘って付着することが防止される。
【００５５】
次に、本発明の第３の実施の形態に係る吸収性物品について説明する。図１１は、第３の実施の形態に係る吸収性物品１ｂの平面図である。吸収性物品１ｂは、開口形成線の形状が異なる点を除き、図１に示す吸収性物品１と同様の構造を有する。以下の説明では、吸収性物品１の各構成に対応する吸収性物品１ｂの構成に同符号を付す。
【００５６】
図１１に示すように、吸収性物品１ｂの吸収性シート部材２０は、図１に示す吸収性物品１と同様に、開口形成領域２５０を囲む破断可能な線である開口形成線２５１ｂを有する。開口形成線２５１ｂは、コア被覆シート２１に対して断続的に切断が行われた線であり、複数の略直線状の短い切れ目の集合（いわゆる、ミシン目）である。開口形成線２５１ｂは、前部吸収コア２２１のコアエッジ２２１１、一対の側部吸収コア２２２のコアエッジ２２２１、および、後部吸収コア２２３コアエッジ２２３１に沿って（すなわち、吸収コア２２の開口のエッジに沿って）これらのコアエッジの内側に配置されるが、後部吸収コア２２３のコアエッジ２２３１の中央部近傍には設けられない。すなわち、開口形成線２５１ｂは、後方向に上側を向けた略Ｕ字状である。
【００５７】
図１２および図１３は、図１１に示す吸収性物品１ｂについて、本発明に関連する技術に係る使用方法を説明するための図である。図１２は、開口２５が形成された状態の吸収性物品１ｂの平面図であり、図１３は、吸収性物品１ｂを図１２中のＧ−Ｇの位置にて長手方向に垂直な面で切断した断面図である。吸収性物品１ｂが使用される際には、コア被覆シート２１が開口形成線２５１ｂにて破断され、図１２および図１３に示すように、破断シート２５２が吸収性シート部材２０の後部吸収コア２２３の上側（すなわち、着用者側）に折り返されることにより、吸収性シート部材２０の着用者の股間部に対向する位置に開口２５が形成される。
【００５８】
吸収性物品１ｂの関連技術に係る使用方法では、後部吸収コア２２３の上側に折り返された破断シート２５２が、左右方向の中央へとまとめられて長手方向に伸びる突出部とされ、当該突出部は着用者の臀部中央の窪みに配置される。これにより、軟便等の排泄物が、臀部中央の窪みを介して着用者の背側へと広がることが防止される。その結果、着用者の背側への排泄物の付着や背側からの排泄物の漏出を防止することができる。また、使用済みの吸収性物品１ｂを丸めて廃棄する際に、開口２５を覆うように破断シート２５２を配置することにより、ポケット２９内に収容された排泄物が開口２５から流出することを抑制することができる。
【００５９】
次に、本発明の第４の実施の形態に係る吸収性物品について説明する。図１４は、第４の実施の形態に係る吸収性物品１ｃの平面図である。吸収性物品１ｃは、開口形成線の形状が異なる点を除き、図１に示す吸収性物品１と同様の構造を有する。以下の説明では、吸収性物品１の各構成に対応する吸収性物品１ｃの構成に同符号を付す。
【００６０】
図１４に示すように、吸収性物品１ｃの吸収性シート部材２０は、図１に示す吸収性物品１と同様に、開口形成領域２５０を囲む破断可能な線である開口形成線２５１ｃを有する。開口形成線２５１ｃは、コア被覆シート２１に対して断続的に切断が行われた線であり、複数の略直線状の短い切れ目の集合（いわゆる、ミシン目）である。
【００６１】
開口形成線２５１ｃは、前部吸収コア２２１のコアエッジ２２１１、および、後部吸収コア２２３のコアエッジ２２３１に沿ってこれらのコアエッジの内側に配置される２本の第１開口形成線２５５ａ、および、開口形成領域２５０の左右方向の略中央にて長手方向に伸びるとともに２本の第１開口形成線２５５ａを接続する第２開口形成線２５６ａを備える。一対の側部吸収コア２２２のコアエッジ２２２１近傍には開口形成線２５１ｃは設けられない。すなわち、開口形成線２５１ｃは左右方向を向く（すなわち、長手方向に対して横を向く）略Ｈ字状である。
【００６２】
図１５は、開口２５が形成された状態の吸収性物品１ｃの平面図であり、図１６は、吸収性物品１ｃを図１５中のＨ−Ｈの位置にて長手方向に垂直な面で切断した断面図である。吸収性物品１ｃが使用される際には、コア被覆シート２１が開口形成線２５１ｃにて破断され、図１５および図１６に示すように、破断シート２５２のうち第２開口形成線２５６ａ（図１４参照）の左側の第１破断シート２５３ａが左側の側部吸収コア２２２の下側に折り返される。また、破断シート２５２のうち第２開口形成線２５６ａの右側の第２破断シート２５４ａが右側の側部吸収コア２２２の下側に折り返される。これにより、吸収性シート部材２０の着用者の股間部に対向する位置に開口２５が形成される。
【００６３】
吸収性物品１ｃでは、第１破断シート２５３ａおよび第２破断シート２５４ａ（すなわち、破断シート２５２）を一対の側部ポケット２８内に折り込むことにより、開口２５近傍において側部ポケット２８の内表面の表面積が増大し、側部ポケット２８における排泄物の保持力が向上する。また、第１破断シート２５３ａおよび第２破断シート２５４ａが側部ポケット２８内にて逆止弁として働き、排泄物が側部ポケット２８内から逆流することが抑制される。これにより、側部ポケット２８における排泄物の保持力がさらに向上する。その結果、排泄物が着用者の肌に広範囲に亘って付着することが防止される。
【００６４】
以上、本発明の実施の形態について説明してきたが、本発明は上記実施の形態に限定されるものではなく、様々な変更が可能である。
【００６５】
第１の実施の形態に係る吸収性物品１では、開口形成線２５１は、左右方向に伸びる第２開口形成線２５６の両端から前方向および後方向に伸びる２本の第１開口形成線２５５を有する形状（すなわち、長手方向を向く略Ｈ字状）であれば様々な形状とされてよい。例えば、第１開口形成線２５５は、側部吸収コア２２２のコアエッジ２２２１に沿う直線状であり、前部吸収コア２２１および後部吸収コア２２３のコアエッジ２２１１，２２３１に沿う部位は有しなくてもよい。また、第１開口形成線２５５は、必ずしも側部吸収コア２２２のコアエッジ２２２１に平行である必要はなく、例えば、長手方向に対して傾斜して設けられてもよい。
【００６６】
第２の実施の形態に係る吸収性物品１ａでは、開口形成線２５１ａは、後部吸収コア２２３のコアエッジ２２３１に沿って左右方向に伸びる部位、および、当該部位の左右両端から前方向に伸びる部位を有する形状（すなわち、前方向に上側を向けた略Ｕ字状）であれば様々な形状とされてよく、例えば、上述の開口形成線２５１ａのうち、前部吸収コア２２１のコアエッジ２２１１に沿う部位が省略されてもよい。
【００６７】
第３の実施の形態に係る吸収性物品１ｂでは、開口形成線２５１ｂは、前部吸収コア２２１のコアエッジ２２１１に沿って左右方向に伸びる部位、および、当該部位の左右両端から後方向に伸びる部位を有する形状（すなわち、後方向に上側を向けた略Ｕ字状）であれば様々な形状とされてよく、例えば、上述の開口形成線２５１ｂのうち、後部吸収コア２２３のコアエッジ２２３１に沿う部位が省略されてもよい。
【００６８】
第４の実施の形態に係る吸収性物品１ｃでは、開口形成線２５１ｃは、長手方向に伸びる第２開口形成線２５６ａの両端から左右両方向に伸びる２本の第１開口形成線２５５ａを有する形状（すなわち、長手方向に対して横を向く略Ｈ字状）であれば様々な形状とされてよい。例えば、上述の第１開口形成線２５５ａの左右両端から側部吸収コア２２２のコアエッジ２２２１に沿って前方向または後方向に伸びる部位が設けられてもよい。
【００６９】
吸収性物品では、開口形成領域２５０内の部位である破断シート２５２を吸収性シート部材２０の下側に折り返すことにより開口２５が形成されるのであれば、破断可能な線である開口形成線の形状は適宜変更されてよい。例えば、開口形成領域２５０の全周に亘る開口形成線が設けられ、使用者により当該開口形成線の一部が破断されることにより開口２５が形成されてもよい。この場合、周囲の部位と部分的に連続する破断シート２５２をどの方向に（あるいは、どんな形状に）折り返すかについて、使用者による決定の自由度が向上される。本発明に関連する技術では、開口形成線全体が破断されて開口形成領域２５０内の部位が切除されることにより、開口２５が形成されてもよい。
【００７０】
開口形成線は、必ずしも複数の略直線状の短い切れ目の集合である必要はなく、例えば、複数の小さい円形の穴が配列されることにより形成されてもよい。また、開口形成線は、その大部分が連続する切れ目であり、当該切れ目上の例えば３点において開口形成領域２５０と周囲の部位とが連結されていてもよい。あるいは、連続する非貫通切り込みである開口形成線が吸収性シート部材２０に設けられてもよい。
【００７１】
上記実施の形態では、開口形成線は吸収性物品の使用時に破断されるが、破断された状態の開口形成線と同様の形状にコア被覆シート２１が予め（すなわち、吸収性物品の製造時に）切断されてもよい。このように、破断されている線である開口形成線が吸収性シート部材２０に設けられることにより、吸収性物品の使用時に開口形成線を破断することなく、破断シート２５２を吸収性シート部材２０の下側に折り返すだけで開口２５を容易に形成することができる。予め破断シート２５２が形成されている場合、破断シート２５２上の小さい領域にホットメルト接着剤の塗布等により仮止着部が形成され、当該仮止着部がバックシート部材２３の露出領域２３４（となる予定の領域）に仮止めされてもよい。また、破断シート２５２が、吸収性物品の製造時に吸収性シート部材２０の下側に折り返されることにより、開口２５が予め形成されていてもよい。なお、吸収性シート部材２０の下側に折り返された破断シート２５２は、上記以外の方法にて利用されてよい。
【００７２】
吸収性物品１では、排泄物の収容力を大きくするためには、吸収性シート部材２０とバックシート部材２３との間に前部ポケット２６、側部ポケット２８および後部ポケット２７が設けられることが好ましい。ただし、排泄物の収容力が十分確保されるのであれば、これらのポケットのうち、いずれかのポケットが省略されてもよい。例えば、第２の実施の形態に係る吸収性物品１ａでは、前部ポケット２６において排泄物を十分に収容できるのであれば、後部ポケット２７および側部ポケット２８は省略されてもよい。換言すれば、吸収性物品１ａでは、ポケット２９は開口２５から少なくとも前方向に広がっていればよい。また、第３の実施の形態に係る吸収性物品１ｂでは、後部ポケット２７において排泄物を十分に収容できるのであれば、前部ポケット２６および側部ポケット２８は省略されてもよい。換言すれば、吸収性物品１ｂでは、ポケット２９は開口２５から少なくとも後方向に広がっていればよい。
【００７３】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを止着テープにより腰回りで止着して着用するテープタイプの使い捨ておむつに適用されてよい。
【００７４】
上記実施の形態および各変形例における構成は、相互に矛盾しない限り適宜組み合わせられてよい。
【符号の説明】
【００７５】
１，１ａ〜１ｃ    吸収性物品
２０    吸収性シート部材
２３    バックシート部材
２５    開口
２６    前部ポケット
２７    後部ポケット
２８    側部ポケット
２９    ポケット
３２ａ〜３２ｃ    起立ギャザー部弾性部材
２５０    開口形成領域
２５１，２５１ａ〜２５１ｃ    開口形成線
２５２    破断シート
３４１    起立ギャザー部
【図１】
0005582876.tif 000002
【図２】
0005582876.tif 000003
【図３】
0005582876.tif 000004
【図４】
0005582876.tif 000005
【図５】
0005582876.tif 000006
【図６】
0005582876.tif 000007
【図７】
0005582876.tif 000008
【図８】
0005582876.tif 000009
【図９】
0005582876.tif 000010
【図１０】
0005582876.tif 000011
【図１１】
0005582876.tif 000012
【図１２】
0005582876.tif 000013
【図１３】
0005582876.tif 000014
【図１４】
0005582876.tif 000015
【図１５】
0005582876.tif 000016
【図１６】
0005582876.tif 000017